【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
プリンターとホストコンピューターとを通信可能に接続し、
前記プリンターにおいて、前記ホストコンピューターから受信した特定商品情報に関するクーポン券印刷ジョブを含む印刷ジョブの印刷が終了する毎に、終了した前記印刷ジョブの数を印刷ジョブ終了数として計数し、
前記プリンターは、前記ホストコンピューターからのステータス情報要求コマンドを受信すると、前記印刷ジョブ終了数を含むもので前記プリンターの状態を示すステータス情報を前記ホストコンピューターに送信し、
前記ホストコンピューターは、前記プリンターから受信した前記印刷ジョブ終了数と、過去に受信した前記印刷ジョブ終了数を比較し、前記プリンターにおいて印刷が終了した所定の印刷ジョブを検知することを特徴とするプリンターシステムの制御方法。
【請求項２】
請求項１において、
前記ホストコンピューターにおいて、前記プリンターに前記印刷ジョブを送信する毎に、送信した前記印刷ジョブの数を印刷ジョブ命令数として計数し、
前記プリンターから受信した前記印刷ジョブ終了数と、前記印刷ジョブ命令数を比較し、前記プリンターで印刷が終了した前記所定の印刷ジョブを検知することを特徴とするプリンターシステムの制御方法。
【請求項３】
請求項２において、
前記印刷ジョブには、少なくとも、テスト印刷を含む所定の印刷を行う第１印刷ジョブ、および、前記第１印刷ジョブとは異なる所定の印刷を行う第２印刷ジョブが含まれており、
前記印刷ジョブ命令数として、少なくとも、前記第１印刷ジョブを送信する毎に計数される第１印刷ジョブ命令数、および、前記第２印刷ジョブを送信する毎に計数される第２印刷ジョブ命令数を含んでおり、
前記印刷ジョブ終了数として、少なくとも、前記第１印刷ジョブの印刷が終了する毎に計数される第１印刷ジョブ終了数、および、前記第２印刷ジョブの印刷が終了する毎に計数される第２印刷ジョブ終了数を含んでいることを特徴とするプリンターシステムの制御方法。
【請求項４】
少なくとも１つのプリンターと、
前記プリンターと通信可能に接続されたホストコンピューターとを有し、
前記プリンターは、
前記ホストコンピューターとの間で通信を行う通信部と、
前記ホストコンピューターから前記通信部により受信した特定商品情報に関するクーポン券印刷ジョブを含む印刷ジョブを実行する印刷制御部と、
印刷が終了した前記印刷ジョブの数を印刷ジョブ終了数として記憶保持するための記憶部と、
前記印刷制御部による前記印刷ジョブの印刷が終了すると、前記印刷ジョブ終了数として計数するとともに、計数後の新たな前記印刷ジョブ終了数で前記記憶部を更新する状態管理部とを有し、
前記通信部は、前記ホストコンピューターからのステータス情報要求コマンドを受信すると、前記記憶部の前記印刷ジョブ終了数を含むもので、前記プリンターの状態を示すステータス情報を前記ホストコンピューターに送信し、
前記ホストコンピューターは、
受信した前記印刷ジョブ終了数を記憶保持するための印刷ジョブ終了数記憶部と、
前記印刷ジョブ終了数を受信すると、受信した前記印刷ジョブ終了数と、前記印刷ジョブ終了数記憶部に既に記憶保持されている前記印刷ジョブ終了数を比較して、前記プリンターにおいて印刷が終了した所定の印刷ジョブを検知するとともに、受信した前記印刷ジョブ終了数で前記印刷ジョブ終了数記憶部を更新する状態把握部とを備えていることを特徴とするプリンターシステム。
【請求項５】
請求項４において、
前記ホストコンピューターは、
前記プリンターに前記印刷ジョブを送信する毎に、送信した前記印刷ジョブの数を印刷ジョブ命令数として計数する印刷ジョブ命令計数部を有し、
前記状態把握部は、前記プリンターからの前記印刷ジョブ終了数と、前記印刷ジョブ命令数を比較して、前記プリンターで印刷が終了した所定の印刷ジョブを検知することを特徴とするプリンターシステム。
【請求項６】
請求項５において、
前記印刷ジョブには、少なくとも、テスト印刷を含む所定の印刷を行う第１印刷ジョブと、前記第１印刷ジョブとは異なる所定の印刷を行う第２印刷ジョブが含まれており、
前記プリンターの前記記憶部は、少なくとも、印刷が終了した前記第１印刷ジョブの数を第１印刷ジョブ終了数として記憶保持するための第１記憶部と、印刷が終了した前記第２印刷ジョブの数を第２印刷ジョブ終了数として記憶保持するための第２記憶部を備えており、
前記プリンターの前記実行状態管理部は、前記印刷制御部において印刷が終了した印刷ジョブが、少なくとも、前記第１印刷ジョブか前記第２印刷ジョブかを判別する判別部と、少なくとも、前記第１印刷ジョブと判別された場合には第１印刷ジョブ終了数として計数して、計数後の新たな前記第１印刷ジョブ終了数で前記第１記憶部を更新するとともに、前記第２印刷ジョブと判別された場合には第２印刷ジョブ終了数として計数して、計数後の前記第２印刷ジョブ終了数で前記第２記憶部を更新する更新部とを備えており、
前記通信部は、前記ホストコンピューターからの前記ステータス情報要求コマンドを受信すると、少なくとも、前記第１記憶部および前記第２記憶部を参照して、前記第１印刷ジョブ終了数および前記第２印刷ジョブ終了数を含むステータス情報を前記ホストコンピューターに送信し、
前記印刷ジョブ命令計数部は、少なくとも、前記第１印刷ジョブを送信する毎に、送信した前記第１印刷ジョブの数を第１印刷ジョブ命令数として計数するとともに、前記第２印刷ジョブを送信する毎に、送信した前記第２印刷ジョブの数を第２印刷ジョブ命令数として計数し、
前記状態把握部は、少なくとも、前記第１印刷ジョブ終了数および前記第１印刷ジョブ命令数を比較し前記プリンターで印刷が終了した前記第１印刷ジョブを検知するとともに、前記第２印刷ジョブ終了数および前記第２印刷ジョブ命令数を比較し、前記プリンターで印刷が終了した前記第２印刷ジョブを検知することを特徴とするプリンターシステム。
【請求項７】
ホストコンピューターと通信可能な通信部と、
紙に印刷を行う印刷部と、
前記ホストコンピューターから前記通信部により受信した特定商品情報に関するクーポン券印刷ジョブを含む印刷ジョブを実行する印刷制御部と、
印刷が終了した前記印刷ジョブの数を印刷ジョブ終了数として記憶保持するための記憶部と、
前記印刷制御部による前記印刷ジョブの印刷が終了すると、前記印刷ジョブ終了数として計数するとともに、計数後の新たな前記印刷ジョブ終了数で前記記憶部を更新する状態管理部とを有し、
前記通信部は、前記ホストコンピューターからのステータス情報要求コマンドを受信すると、前記記憶部の前記印刷ジョブ終了数を含むもので、少なくとも前記印刷部の状態を示すステータス情報を前記ホストコンピューターに送信することを特徴とするプリンター。
【請求項８】
請求項７において、
前記印刷ジョブには、少なくとも、テスト印刷を含む所定の印刷を行う第１印刷ジョブ、および、前記第１印刷ジョブとは異なる所定の印刷を行う第２印刷ジョブが含まれており、
前記印刷ジョブ終了数として、少なくとも、前記第１印刷ジョブの印刷が終了する毎に計数される第１印刷ジョブ終了数、および、前記第２印刷ジョブの印刷が終了する毎に計数される第２印刷ジョブ終了数を含んでいることを特徴とするプリンター。
【手続補正２】
【補正対象書類名】明細書
【補正対象項目名】０００８
【補正方法】変更
【補正の内容】
【０００８】
上記の課題を解決するために、本発明のプリンターシステムにおける制御方法は、
プリンターとホストコンピューターとを通信可能に接続し、
前記プリンターにおいて、前記ホストコンピューターから受信した特定商品情報に関するクーポン券印刷ジョブを含む印刷ジョブの印刷が終了する毎に、終了した前記印刷ジョブの数を印刷ジョブ終了数として計数し、
前記プリンターは、前記ホストコンピューターからのステータス情報要求コマンドを受信すると、前記印刷ジョブ終了数を含むもので前記プリンターの状態を示すステータス情報を前記ホストコンピューターに送信し、
前記ホストコンピューターは、前記プリンターから受信した前記印刷ジョブ終了数と、過去に受信した前記印刷ジョブ終了数を比較し、前記プリンターにおいて印刷が終了した所定の印刷ジョブを検知することを特徴とする。
【手続補正３】
【補正対象書類名】明細書
【補正対象項目名】００１０
【補正方法】変更
【補正の内容】
【００１０】
本発明において、ホストコンピューターから、プリンターにおける特定の印刷ジョブの終了を検知するためには、前記ホストコンピューターにおいて、前記プリンターに前記印刷ジョブを送信する毎に、送信した前記印刷ジョブの数を印刷ジョブ命令数として計数し、前記プリンターから受信した前記印刷ジョブ終了数と、前記印刷ジョブ命令数を比較し、前記プリンターで印刷が終了した前記所定の印刷ジョブを検知することが望ましい。
【手続補正４】
【補正対象書類名】明細書
【補正対象項目名】００１１
【補正方法】変更
【補正の内容】
【００１１】
この場合において、前記印刷ジョブには、少なくとも、テスト印刷を含む所定の印刷を行う第１印刷ジョブ、および、前記第１印刷ジョブとは異なる所定の
印刷を行う第２印刷ジョブが含まれており、前記印刷ジョブ命令数として、少なくとも、前記第１印刷ジョブを送信する毎に計数される第１印刷ジョブ命令数、および、前記第２印刷ジョブを送信する毎に計数される第２印刷ジョブ命令数を含んでおり、前記印刷ジョブ終了数として、少なくとも、前記第１印刷ジョブの印刷が終了する毎に計数される第１印刷ジョブ終了数、および、前記第２印刷ジョブの印刷が終了する毎に計数される第２印刷ジョブ終了数を含んでいることが望ましい。このようにすれば、異なる印刷を行う第１印刷ジョブの終了と第２印刷ジョブの終了を別々に把握できるので、複数の第１印刷ジョブの中の特定の第１印刷ジョブの終了や、複数の第２印刷ジョブの中の特定の第２印刷ジョブの終了を迅速に把握できる。
【手続補正５】
【補正対象書類名】明細書
【補正対象項目名】００１３
【補正方法】変更
【補正の内容】
【００１３】
次に、本発明のプリンターシステムは、
少なくとも１つのプリンターと、
前記プリンターと通信可能に接続されたホストコンピューターとを有し、
前記プリンターは、
前記ホストコンピューターとの間で通信を行う通信部と、
前記ホストコンピューターから前記通信部により受信した特定商品情報に関するクーポン券印刷ジョブを含む印刷ジョブを実行する印刷制御部と、
印刷が終了した前記印刷ジョブの数を印刷ジョブ終了数として記憶保持するための記憶部と、
前記印刷制御部による前記印刷ジョブの印刷が終了すると、前記印刷ジョブ終了数として計数するとともに、計数後の新たな前記印刷ジョブ終了数で前記記憶部を更新する状態管理部とを有し、
前記通信部は、前記ホストコンピューターからのステータス情報要求コマンドを受信すると、前記記憶部の前記印刷ジョブ終了数を含むもので、前記プリンターの状態を示すステータス情報を前記ホストコンピューターに送信し、
前記ホストコンピューターは、
受信した前記印刷ジョブ終了数を記憶保持するための印刷ジョブ終了数記憶部と、
前記印刷ジョブ終了数を受信すると、受信した前記印刷ジョブ終了数と、前記印刷ジョブ終了数記憶部に記憶保持されている前記印刷ジョブ終了数を比較して、前記プリンターにおいて印刷が終了した所定の印刷ジョブを検知するとともに、受信した前記印刷ジョブ終了数で前記印刷ジョブ終了数記憶部を更新する状態把握部とを備えていることを特徴とする。
【手続補正６】
【補正対象書類名】明細書
【補正対象項目名】００１５
【補正方法】変更
【補正の内容】
【００１５】
本発明において、ホストコンピューターから、プリンターにおける特定の印刷ジョブの終了を検知するためには、前記ホストコンピューターは、前記プリンターに前記印刷ジョブを送信する毎に、送信した前記印刷ジョブの数を印刷ジョブ命令数として計数する印刷ジョブ命令計数部を有し、前記状態把握部は、前記プリンターからの前記印刷ジョブ終了数と、前記印刷ジョブ命令数を比較して、前記プリンターで印刷が終了した所定の印刷ジョブを検知することが望ましい。
【手続補正７】
【補正対象書類名】明細書
【補正対象項目名】００１６
【補正方法】変更
【補正の内容】
【００１６】
この場合には、前記印刷ジョブには、少なくとも、テスト印刷を含む所定の印刷を行う第１印刷ジョブと、前記第１印刷ジョブとは異なる所定の印刷を行う第２印刷ジョブが含まれており、前記プリンターの前記記憶部は、少なくとも、印刷が終了した前記第１印刷ジョブの数を第１印刷ジョブ終了数として記憶保持するための第１記憶部と、終了した前記第２印刷ジョブの数を第２印刷ジョブ終了数として記憶保持するための第２記憶部を備えており、前記プリンターの前記状態管理部は、前記印刷制御部において印刷が終了した印刷ジョブが、少なくとも、前記第１印刷ジョブか前記第２印刷ジョブかを判別する判別部と、少なくとも、前記第１印刷ジョブと判別された場合には第１印刷ジョブ終了数として計数して、計数後の新たな前記第１印刷ジョブ終了数で前記第１記憶部を更新するとともに、前記第２印刷ジョブと判別された場合には第２印刷ジョブ終了数として計数して、計数後の前記第２印刷ジョブ終了数で前記第２記憶部を更新する更新部とを備えており、前記通信部は、前記ホストコンピューターからの前記ステータス情報要求コマンドを受信すると、少なくとも、前記第１記憶部および前記第２記憶部を参照して、前記第１印刷ジョブ終了数および前記第２印刷ジョブ終了数を含むステータス情報を前記ホストコンピューターに送信し、前記印刷ジョブ命令計数部は、少なくとも、前記第１印刷ジョブを送信する毎に、送信した前記第１印刷ジョブの数を第１印刷ジョブ命令数として計数するとともに、前記第２印刷ジョブを送信する毎に、送信した前記第２印刷ジョブの数を第２印刷ジョブ命令数として計数し、前記状態把握部は、少なくとも、前記第１印刷ジョブ終了数および前記第１印刷ジョブ命令数を比較し前記プリンターで印刷が終了した前記第１印刷ジョブを検知するとともに、前記第２印刷ジョブ終了数および前記第２印刷ジョブ命令数を比較し、前記プリンターで印刷が終了した前記第２印刷ジョブを検知することが望ましい。このようにすれば、第１印刷ジョブの終了と第２印刷ジョブの終了を別々に把握できるので、複数の第１印刷ジョブの中の特定の第１印刷ジョブの終了や、複数の第２印刷ジョブの中の特定の第２印刷ジョブの終了を迅速に把握できる。
【手続補正８】
【補正対象書類名】明細書
【補正対象項目名】００１８
【補正方法】変更
【補正の内容】
【００１８】
次に、本発明のプリンターは、
ホストコンピューターと通信可能な通信部と、
紙に印刷を行う印刷部と、
前記ホストコンピューターから前記通信部により受信した特定商品情報に関するクーポン券印刷ジョブを含む印刷ジョブを実行する印刷制御部と、
印刷が終了した前記印刷ジョブの数を印刷ジョブ終了数として記憶保持するための記憶部と、
前記印刷制御部による前記印刷ジョブの印刷が終了すると、前記印刷ジョブ終了数として計数するとともに、計数後の新たな前記印刷ジョブ終了数で前記記憶部を更新する状態管理部とを有し、
前記通信部は、前記ホストコンピューターからのステータス情報要求コマンドを受信すると、前記記憶部の前記印刷ジョブ終了数を含むもので、少なくとも前記印刷部の状態を示すステータス情報を前記ホストコンピューターに送信することを特徴とする。
本発明のプリンターは、
前記印刷ジョブには、少なくとも、テスト印刷を含む所定の印刷を行う第１印刷ジョブ、および、前記第１印刷ジョブとは異なる所定の印刷を行う第２印刷ジョブが含まれており、
前記印刷ジョブ終了数として、少なくとも、前記第１印刷ジョブの印刷が終了する毎に計数される第１印刷ジョブ終了数、および、前記第２印刷ジョブの印刷が終了する毎に計数される第２印刷ジョブ終了数を含んでいることを特徴とする。